(57)【要約】【課題】止水性が高い枠体を備えた建具を提供する。【解決手段】隣接する２つの空間の境界に開口を形成する枠体を備える建具であって、前記枠体は、左右に位置する縦枠と、左右の前記縦枠の下端部間に設けられる下枠と、各々の前記縦枠において互いに対向する見込み面と前記下枠の小口との間に介在され、前記小口の輪郭より外側にはみ出して設けられるシール材と、を有し、前記シール材のはみ出した部位、及び、前記下枠において前記はみ出した部位と繋がる部位の少なくともいずれか一方に撥水処理が施されている。【選択図】図１
2019070238.tif 000002
【特許請求の範囲】
【請求項１】
隣接する２つの空間の境界に開口を形成する枠体を備える建具であって、
前記枠体は、左右に位置する縦枠と、
左右の前記縦枠の下端部間に設けられる下枠と、
各々の前記縦枠において互いに対向する見込み面と前記下枠の小口との間に介在され、前記小口の輪郭より外側にはみ出して設けられるシール材と、を有し、
前記シール材のはみ出した部位、及び、前記下枠において前記はみ出した部位と繋がる部位の少なくともいずれか一方に撥水処理が施されていることを特徴とする建具。
【請求項２】
請求項１に記載の建具であって、
前記２つの空間のうちの一方の空間は、浴室又は屋外であり、
前記開口を閉塞可能な障子を有し、
前記下枠は、前記障子との間を止水する止水材を有し、
前記撥水処理は、前記止水材よりも、前記２つの空間のうちの他方の空間側に施されていることを特徴とする建具。
【請求項３】
隣接する２つの空間の境界に開口を形成する枠体を備える建具であって、
前記枠体は、左右に位置する縦枠と、
左右の縦枠の下端部間に設けられる下枠と、
前記下枠の小口と、各々の前記縦枠の対向する見込み面との間に介在され、前記小口の輪郭より外側にはみ出して設けられ、前記下枠とともに止水ラインを形成するシール材と、を有し、
前記止水ラインより前記開口側に、前記下枠と前記縦枠との間に前記シール材が介在されていない部位を有することを特徴とする建具。
【請求項４】
請求項３に記載の建具であって、
前記２つの空間のうちの一方の空間は、浴室又は屋外であり、
前記シール材が介在されていない部位よりも、前記２つの空間のうちの他方の空間側であって、前記シール材のはみ出した部位、及び、前記下枠における前記はみ出した部位と繋がる部位の少なくともいずれか一方に撥水処理が施されていることを特徴とする建具。
【請求項５】
請求項４に記載の建具であって、
前記開口を閉塞可能な障子を有し、
前記下枠は、前記障子との間を止水する止水材を有し、
前記シール材が介在されていない部位は、前記止水材よりも、前記他方の空間側に位置していることを特徴とする建具。
【発明の詳細な説明】
【技術分野】
【０００１】
本発明は、隣接する２つの空間の境界に開口を形成する枠体を備える建具に関する。
【背景技術】
【０００２】
隣接する２つの空間の境界に開口を形成する枠体を備える建具としては、例えば、浴室と脱衣室との境界に設けられる建具が知られている（特許文献１参照）。建具が備える枠体としての窓枠の下枠と縦枠との連結部分にはシーラーが介在され、下枠と縦枠とはビスで固着されている。
【先行技術文献】
【特許文献】
【０００３】
【特許文献１】特開２００９−１３８４２７号公報
【発明の概要】
【発明が解決しようとする課題】
【０００４】
上記のような建具では、下枠と縦枠との間に介在されたシーラーは、下枠の小口が当接された部位が押圧されて圧縮されるので、押圧されていない部位は、下枠側に盛り上がる。これより、下枠とシーラーの盛り上がった部位との間に狭小な空隙が生じる。このような狭小な空隙は毛管現象が生じやすいので、この狭小な空隙を伝って、脱衣室側に水が浸入しやすくなる。特に表面張力が小さな石けん水はより浸入しやすいという課題がある。
本発明は、かかる課題に鑑みてなされたものであり、その目的とするところは、止水性が高い枠体を備えた建具を提供することにある。
【課題を解決するための手段】
【０００５】
かかる目的を達成するために本発明の建具は、隣接する２つの空間の境界に開口を形成する枠体を備える建具であって、前記枠体は、左右に位置する縦枠と、左右の前記縦枠の下端部間に設けられる下枠と、各々の前記縦枠において互いに対向する見込み面と前記下枠の小口との間に介在され、前記小口の輪郭より外側にはみ出して設けられるシール材と、を有し、前記シール材のはみ出した部位、及び、前記下枠において前記はみ出した部位と繋がる部位の少なくともいずれか一方に撥水処理が施されていることを特徴とする建具である。
【０００６】
このような建具によれば、枠体の縦枠と下枠との接合部分にて縦枠と下枠との間に介在されたシール材のはみ出した部位及び下枠におけるはみ出した部位と繋がる部位の少なくともいずれか一方に撥水処理が施されているので、シール材と下枠とが狭小な空間を形成しているとしても、隣接する２つの空間のうちの一方の空間側から他方の空間側に水が浸入することを防止することが可能である。
【０００７】
かかる建具であって、前記２つの空間のうちの一方の空間は、浴室又は屋外であり、前記開口を閉塞可能な障子を有し、前記下枠は、前記障子との間を止水する止水材を有し、前記撥水処理は、前記止水材よりも、前記２つの空間のうちの他方の空間側に施されていることが望ましい。
【０００８】
このような建具によれば、下枠には、障子との間を止水する止水材よりも脱衣室側又は屋内側に撥水処理が施されているので、たとえ止水材を越えて水が浸入したとしても、止水材より先の、脱衣室側又は屋内側には水が浸入しにくい。このため、より止水性に優れた建具を提供することが可能である。
【０００９】
また、隣接する２つの空間の境界に開口を形成する枠体を備える建具であって、前記枠体は、左右に位置する縦枠と、左右の縦枠の下端部間に設けられる下枠と、前記下枠の小口と、各々の前記縦枠の対向する見込み面との間に介在され、前記小口の輪郭より外側にはみ出して設けられ、前記下枠とともに止水ラインを形成するシール材と、を有し、前記止水ラインより前記開口側に、前記下枠と前記縦枠との間に前記シール材が介在されていない部位を有することを特徴とする建具である。
【００１０】
このような建具によれば、下枠の小口と、縦枠の見込み面との間に介在されるシール材は、下枠と縦枠との間に介在されていない部位を有するので、シール材が介在されていない部位は、シール材が小口よりはみ出して設けられている部位より空隙が広くなり、毛管現象が生じにくくなる。また、シール材が介在されていない部位は、下枠とシール材とにより形成される止水ラインより開口側なので、止水ラインを分断することなく、毛管現象により水が浸入する経路を分断することが可能である、このため、止水性に優れた建具を提供することが可能である。
【００１１】
かかる建具であって、前記２つの空間のうちの一方の空間は、浴室又は屋外であり、前記シール材が介在されていない部位よりも、前記２つの空間のうちの他方の空間側であって、前記シール材のはみ出した部位、及び、前記下枠における前記はみ出した部位と繋がる部位の少なくともいずれか一方に撥水処理が施されていることが望ましい。
【００１２】
このような建具によれば、シール材が介在されていない部位より他方の空間側にてシール材がはみ出している部位と、下枠においてはみ出した部位と繋がる部位との少なくともいずれか一方に撥水処理が施されている。このため、他の部位より空間が大きなシール材が介在されていない部位を、たとえ水が越えたとしても、シール材が介在されていない部位よりも他方の空間側の部位が撥水性も有しているので、より毛管現象が生じ難くなる。このため、水の浸入をより確実に防止することが可能である。
【００１３】
かかる建具であって、前記開口を閉塞可能な障子を有し、前記下枠は、前記障子との間を止水する止水材を有し、前記シール材が介在されていない部位は、前記止水材よりも、前記他方の空間側に位置していることが望ましい。
【００１４】
このような建具によれば、シール材が介在されていない部位は、障子との間を止水する止水材よりも他方の空間側に位置しているので、たとえ止水材を越えて水が浸入したとしても、止水材より先の、他方の空間側には水が浸入しにくい。このため、より止水性に優れた建具を提供することが可能である。
【発明の効果】
【００１５】
本発明によれば、止水性が高い枠体を備えた建具を提供することが可能である。
【図面の簡単な説明】
【００１６】
【図１】本実施形態に係る建具の縦枠と下枠との接合部において撥水剤が塗布されている部位を示す縦断面図である。
【図２】下枠において撥水剤が塗布されている部位を示す平面図である。
【図３】本実施形態に係る建具の縦枠と下枠との接合部においてシール材が設けられていない部位を示す縦断面図である。
【図４】本実施形態に係る建具の縦枠と下枠との接合部においてシール材が設けられていない部位を示す平面図である。
【図５】縦枠と下枠との間に空隙が形成されるシール材に撥水剤が塗布される部位を示す図である。
【発明を実施するための形態】
【００１７】
以下、本発明の実施形態に係る建具について図面を参照して説明する。
本実施形態においては、図１に示すように引戸障子３と、引戸障子３が案内され、隣接する２つの空間のうちの一方の空間としての浴室と、他方の空間としての脱衣室との境界に開口１ａを形成する枠体２と、を有する浴室建具１を例に挙げて説明する。
【００１８】
以下の説明においては、建物等に取り付けられた状態の浴室建具１を脱衣室側から見たときに、上下となる方向を上下方向、左右となる方向を左右方向、奥行き方向を見込み方向として示す。浴室建具１の各部位であっても、また、浴室建具を構成する各部材については単体の状態であっても、建物等に取り付けられた状態にて上下方向、左右方向、見込み方向となる方向にて方向を特定して説明する。
【００１９】
本実施形態の浴室建具１が有する枠体２は、引戸障子３を案内するレール４ａを備えた下枠４と、下枠４の左右両端部に接合される縦枠５とを有している。下枠４の両端部は、各々、小口４ｂと、縦枠５が備える平坦な見込み面５ａとの間にシール材６が介在されてビス(不図示)にて接合されている。
【００２０】
下枠４には、レール４ａに支持された引戸障子３の下端が収容される凹部４ｃが設けられおり、凹部４ｃに上方に突出させてレール４ａが設けられている。下枠４が有する凹部４ｃより脱衣室側には、全長に亘って、成形材でなる止水材７が嵌合される止水材嵌合部４ｄが設けられている。止水材嵌合部４ｄに嵌合された止水材７は、浴室側に突出して引戸障子３との間を止水する浴室側止水部７ａと、脱衣室側にて上方に立ち上がった脱衣室側止水部７ｂとを有している。
【００２１】
止水材嵌合部４ｄは、凹部４ｃの脱衣室側の壁をなす凹壁部４ｅと、凹壁部４ｅと見込み方向に間隔を空けて対向する対向壁部４ｆと、凹壁部４ｅと対向壁部４ｆとの下端とを繋ぐ底部４ｇとを有し、下方に窪む溝状をなしている。凹壁部４ｅと対向壁部４ｆとの上端部は各々互いに対向する側に張り出す張出部４ｈ、４ｉを有し、各々の張出部４ｈ、４ｉの先端は見込み方向に間隔が空いている。対向壁部４ｆ側の張出部４ｉは脱衣室側に、水平に延びて平坦な脱衣室側上面部４ｊをなしている。図１においては、シール材６に押圧された下枠４の上縁に沿って形成される止水ラインＬを太線にて示している。
【００２２】
シール材６は、例えば、ブチルゴム製のシート材である。下枠４と縦枠５とは、図２に示すように、シール材６が下枠４の小口４ｂと縦枠５の見込み面５ａとの間に介在された状態で、縦枠５側から進入し、縦枠５とシール材６とを貫通するビスが下枠４に設けられたビス螺合部４ｋに螺合されて接合されている。
【００２３】
下枠４と縦枠５との間に介在されたシール材６は、凹部４ｃより脱衣室側に、下枠４及び脱衣室側止水部７ｂの輪郭より外側にはみ出した部位６ａを有している。このため、ビスが螺合されて縦枠５と下枠４とが接合されると、シール材６が圧縮され、下枠４の輪郭に沿って、小口４ｂと接触していない部位が盛り上がる。盛り上がったシール材６と下枠４の上面との間には、狭小な空隙が形成され、より毛管現象か生じやすくなる。
【００２４】
このため、第一実施形態の建具１は、図１、図２に示すように、シール材６と下枠４とに撥水処理として撥水剤Ｐが塗布されている。より具体的には、シール材６には、縦枠５と下枠４とが接合された状態で、下枠４の止水材嵌合部４ｄを形成する底部４ｇと縦枠５とに挟持されている位置より上側の部位６ｂ（斜線部）と、下枠４の凹部４ｃより脱衣室側であって、シール材６に当接してシール材６と繋がる部位４ｌの所定の範囲とに、撥水剤Ｐが塗布されている。図１においては、下枠４に撥水剤Ｐが塗布されている領域を、太い一点鎖線にて示している。このとき、下枠４において撥水剤Ｐが塗布される、左右方向の幅Ｗは、下枠４に押圧されてシール材６が盛り上がる量より十分広いことが望ましい。
【００２５】
第一実施形態の浴室建具１によれば、枠体２の縦枠５と下枠４との接合部分にて縦枠５と下枠４との間に介在されたシール材６の輪郭より外側にはみ出した部位６ａ及び下枠４においてシール材６がはみ出した部位６ａと繋がる部位４ｌの所定範囲に撥水剤Ｐが塗布されているので、水がシール材６と下枠４とが狭小な空隙を形成しているとしても、浴室側から脱衣室側に水が浸入することを防止することが可能である。
【００２６】
また、下枠４には、止水材７の、引戸障子３との間を止水する浴室側止水部７ａよりも脱衣室側に撥水剤Ｐが塗布されているので、たとえ浴室側止水部７ａを越えて水が浸入したとしても、浴室側止水部７ａより先の脱衣室側には水が浸入しにくい。このため、より止水性に優れた浴室建具１を提供することが可能である。
【００２７】
第１実施形態においては、シール材６の輪郭より外側にはみ出した部位６ａ及び下枠４においてはみ出した部位６ａと繋がる部位４ｌとのいずれにも撥水剤Ｐが塗布されている例について説明したが、シール材６のはみ出した部位６ａ及び下枠４におけるはみ出した部位６ａと繋がる部位４ｌの少なくともいずれか一方に撥水剤Ｐが塗布されていれば構わない。
【００２８】
次に、第２実施形態について説明する。第２実施形態の浴室建具１は、図３、図４に示すように、下枠４の上縁に沿って形成される止水ラインＬより開口１ａの中央側に、下枠４と縦枠５との間にシール材８が介在されていない部位が設けられている。図３の例では、第１実施形態のシール材６では、下枠４の止水材嵌合部４ｄに押圧されていた部位が一部取り除かれている。
【００２９】
より具体的には、第２実施形態のシール材８は、第１実施形態のシール材６と比較して下枠４の凹壁部４ｅの上部に設けられた張出部４ｈより僅かに下から上側の部位が、見込み方向において、脱衣室側の張出部４ｉと縦枠５とが対向する部位まで取り除かれた形状に形成されている。このため、下枠４の凹壁部４ｅの上部、浴室側の張出部４ｈ、及び、脱衣室側の張出部４ｉの先端側は、図４に示すように、縦枠５の見込み面５ａとの間隔が空けられて空隙Ｓが設けられている。すなわち、空隙Ｓが、下枠４と縦枠５との間にシール材８が介在されていない部位に相当する。
【００３０】
第２実施形態の浴室建具１によれば、下枠４の小口４ｂと、縦枠５の見込み面５ａとの間に介在されるシール材８は、下枠４の小口４ｂと縦枠５との間に介在されていない部位を有している。このため、シール材８が介在されていない部位には、シール材８が下枠４の輪郭より外側にはみ出す部分が存在しないので、下枠４の輪郭に沿って狭小な空隙は形成されず、さらに、下枠４の小口４ｂと縦枠５の見込み面５ａとの間に、狭小な空隙より大きな空隙Ｓが形成される。このため、毛管現象は生じにくい。
【００３１】
また、シール材８が介在されていない部位は、下枠４とシール材８とにより形成される止水ラインＬより開口１ａ側なので、止水ラインＬを分断することなく、毛管現象により水が浸入する経路を分断することが可能である。このため、より止水性に優れた浴室建具１を提供することが可能である。
【００３２】
また、シール材８が介在されていない部位は、引戸障子３との間を止水する止水材７の浴室側止水部７ａよりも脱衣室側に位置しているので、たとえ浴室側止水部７ａを越えて水が浸入したとしても、浴室側止水部７ａより先の脱衣室側には水が浸入しにくい。このため、より止水性に優れた浴室建具１を提供することが可能である。
【００３３】
また、第２実施形態のように、下枠４の小口４ｂと縦枠５の見込み面５ａとの間にシール材８が介在されていない部位を有する浴室建具１であっても、第１実施形態のように、シール材８のはみ出した部位６ａ及び下枠４におけるはみ出した部位４ｌと繋がる部位の少なくともいずれか一方に撥水剤Ｐが塗布されていれば構わない。
【００３４】
この場合には、シール材８が介在されていない部位に形成される空隙Ｓを、たとえ水が越えたとしても、シール材８が介在されていない部位よりも脱衣室側の部位が撥水性も有しているので、より毛管現象が生じ難くなる。このため、水の浸入をより確実に防止することが可能である。
【００３５】
また、撥水剤Ｐを塗布する部位はシール材８が介在されていない部位よりも脱衣室側の部位に限らず、たとえば、シール材８が介在されていない部位を形成する、下枠４の小口４ｂと縦枠５の見込み面５ａとが対向する部位、及び、シール材８において下枠４の小口４ｂと縦枠５とが対向する空隙Ｓに臨む端面に撥水剤Ｐが塗布されていても構わない。
【００３６】
この場合には、シール材が介在されていない部位は、空隙が大きいうえに、撥水性も有しているので、より毛管現象が生じ難くなる。このため、水の浸入をより確実に防止することが可能である。このとき、シール材８には、例えば、図５に示すように撥水剤Ｐが塗布される。
【００３７】
上記実施形態においては、隣接する２つの空間の一方の空間を浴室とし、他方の空間を脱衣室とした例について説明したが、隣接する２つの空間を屋内外とし、一方の空間を屋外とし、他方の空間を屋内としてもよい。また、例えば一方の空間が、プールや温室などの濡れることが許容される空間であり、他方の空間が、一方の空間と隣接する更衣室や展示室などの濡れることが望まれない空間であってもよい。
【００３８】
上記実施形態においては、撥水処理として、撥水剤Ｐを塗布する例について説明したが、これに限らず、たとえば、撥水性を有するような表面処理を施すなどしてもよい。
【００３９】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４０】
１  浴室建具、１ａ  開口、２  枠体、３  引戸障子、４  下枠、４ｂ  小口、
４ｌ  下枠のシール材と繋がる部位、５  縦枠、５ａ  見込み面、
６  シール材、６ａ  はみ出した部位、７  止水材、７ａ  浴室側止水部、
８  シール材、
Ｌ  止水ライン、Ｐ  撥水剤、Ｓ  空隙、
【図１】
2019070238.tif 000003
【図２】
2019070238.tif 000004
【図３】
2019070238.tif 000005
【図４】
2019070238.tif 000006
【図５】
2019070238.tif 000007